(57)【要約】      （修正有）【課題】電圧測定具を用いて所定の第１着脱部の電圧を測定するとき、電圧測定対象である所定の第１着脱部と他の第１着脱部とが電圧測定具を介して短絡する事故を防止する。【解決手段】端子台３００の端子台カバー３０１であって、電圧測定具が接続されるように前記複数の第１着脱部（Ｅ，Ｗ，Ｔ）のうちの所定の第１着脱部を露出させる露出孔３１が形成されており、前記複数の第１着脱部と前記複数の第２着脱部（Ｅ，Ｗ，Ｔ）とを覆うように前記端子台３００に取り付けられる絶縁性のカバー部材３０１と、前記露出孔が前記所定の第１着脱部と対向するように、前記カバー部材３０１の位置決めを行う位置決め片３２,３３と、を備える。【選択図】図１
2016134338.tif 000002
【特許請求の範囲】
【請求項１】
複数の第１ケーブルが所定方向に配列されるように、前記複数の第１ケーブルの端子が夫々着脱される複数の第１着脱部と、複数の第２ケーブルが所定方向に配列されるように、前記複数の第２ケーブルの端子が夫々着脱され、前記複数の第１ケーブルと前記複数の第２ケーブルの夫々が電気的に接続されるように、前記複数の第１着脱部に対して隣接するとともに電気的に結合される複数の第２着脱部と、を有する端子台の端子台カバーであって、
電圧測定具が接続されるように前記複数の第１着脱部のうちの所定の第１着脱部を露出させる露出孔が形成されており、前記複数の第１着脱部と前記複数の第２着脱部とを覆うように前記端子台に取り付けられる絶縁性のカバー部材と、
前記露出孔が前記所定の第１着脱部と対向するように、前記カバー部材の位置決めを行う位置決め片と、
を備えたことを特徴とする端子台カバー。
【請求項２】
前記位置決め片は、前記カバー部材の位置決めを行うとき、前記端子台に設けられている前記複数の第１着脱部の夫々を仕切る仕切板と隣り合うように、前記カバー部材に設けられる
ことを特徴とする請求項１に記載の端子台カバー。
【請求項３】
前記位置決め片は、前記カバー部材の位置決めを行うとき、前記複数の第１着脱部の配列方向に沿う方向への前記カバー部材の移動が規制されるように、前記カバー部材に設けられる
ことを特徴とする請求項２に記載の端子台カバー。
【請求項４】
前記露出孔の径は、前記複数の第１着脱部の夫々の外径より小さい径に設定される
ことを特徴とする請求項１乃至３の何れか一項に記載の端子台カバー。
【発明の詳細な説明】
【技術分野】
【０００１】
本発明は、端子台カバーに関する。
【背景技術】
【０００２】
例えば、複数の第１ケーブルと複数の第２ケーブルを夫々電気的に接続するため端子台が知られている（例えば特許文献１）。
【先行技術文献】
【特許文献】
【０００３】
【特許文献１】特開平６−８９７４７号公報
【発明の概要】
【発明が解決しようとする課題】
【０００４】
この端子台は、複数の第１ケーブル夫々の端子が着脱される着脱部が所定方向に複数配列されている。このため、複数の第１ケーブルのうちの測定対象としての所定の第１ケーブルの電圧を測定する際に、複数の着脱部のうちの所定の第１ケーブルが着脱される所定の着脱部とは異なる着脱部に対しても電圧測定具が接続されることがある。この場合、例えば、電圧測定具の誤接続に起因して、端子台において短絡事故が引き起こされる虞がある。
【０００５】
そこで、本発明は、電圧測定具を用いて所定の第１着脱部の電圧を測定するとき、電圧測定対象である所定の第１着脱部と他の第１着脱部とが電圧測定具を介して短絡する事故を防止することを目的とする。
【課題を解決するための手段】
【０００６】
前述した課題を解決する主たる本発明である端子台カバーは、複数の第１ケーブルが所定方向に配列されるように、前記複数の第１ケーブルの端子が夫々着脱される複数の第１着脱部と、複数の第２ケーブルが所定方向に配列されるように、前記複数の第２ケーブルの端子が夫々着脱され、前記複数の第１ケーブルと前記複数の第２ケーブルの夫々が電気的に接続されるように、前記複数の第１着脱部に対して隣接するとともに電気的に結合される複数の第２着脱部と、を有する端子台の端子台カバーである。端子台カバーは、電圧測定具が接続されるように前記複数の第１着脱部のうちの所定の第１着脱部を露出させる露出孔が形成されており、前記複数の第１着脱部と前記複数の第２着脱部とを覆うように前記端子台に取り付けられる絶縁性のカバー部材と、前記露出孔が前記所定の第１着脱部と対向するように、前記カバー部材の位置決めを行う位置決め片と、を備える。
【０００７】
本発明の他の特徴については、添付図面及び本明細書の記載により明らかとなる。
【発明の効果】
【０００８】
本発明によれば、電圧測定具を用いて所定の第１着脱部の電圧を測定するとき、電圧測定対象である所定の第１着脱部と他の第１着脱部とが電圧測定具を介して短絡する事故を防止することが可能になる。
【図面の簡単な説明】
【０００９】
【図１】第１実施形態に係る端子台カバーと端子台を示す分解斜視図である。
【図２】第１実施形態に係る端子台カバーを示す斜視図である。
【図３】第１実施形態に係る端子台カバーが端子台に装着された状態を示す断面図である。
【図４】第２実施形態に係る端子台カバーを示す斜視図である。
【図５】第２実施形態に係る端子台カバーが端子台に装着された状態を示す断面図である。
【図６】第２実施形態に係る端子台カバーが端子台に装着される前の状態を示す正面図である。
【図７】第２実施形態に係る端子台カバーが端子台に装着された状態を示す正面図である。
【発明を実施するための形態】
【００１０】
本明細書および添付図面の記載により、少なくとも以下の事項が明らかとなる。
【００１１】
[第１実施形態]
＝＝＝端子台＝＝＝
以下、図１を参照して、本実施形態における端子台について説明する。図１は、本実施形態における端子台を示す斜視図である。
【００１２】
端子台３００は、一方のケーブル９１、９３、９５夫々と、他方のケーブル９２、９４、９６とを電気的に接続するための端子台である。
【００１３】
端子台３００は、カバー３０１、本体３０２を有する。
【００１４】
カバー３０１は、端子台３００に取り付けられているケーブルに供給されている例えば電圧を測定（「ケーブルの電圧測定」とも称する）する際に、本体３０２に取り付けられるカバーである。カバー３０１は、例えば、当該測定を行うための測定具（不図示）等により、測定対象ケーブルと測定対象ケーブル以外のケーブルとが短絡するのを防止するために用いられる。尚、測定具は、電圧測定装置（不図示）に接続されている例えば導電性のワニ口クリップ、テスター棒等である。尚、カバー３０１については、後述する。
【００１５】
本体３０２は、基台３０、導電板Ｅ１乃至Ｅ３、座金Ｗ１乃至Ｗ６、ねじＴ１乃至Ｔ６、仕切り板Ｒ１乃至Ｒ７を有する。
【００１６】
基台３０は、＋ｚから−ｚに向かってみたときに、略矩形形状を呈する絶縁性の基台である。
【００１７】
仕切り板Ｒ１乃至Ｒ７は、基台３０の表面側（＋ｚ）に複数の領域を形成するための絶縁性の板部材である。仕切り板Ｒ７は、ｙ軸に沿ってに延びている。仕切り板Ｒ１乃至Ｒ６は、ｘ軸に沿って延びており、ｙ軸方向において並べられている。
【００１８】
仕切り板Ｒ５は、略矩形形状を呈している。仕切り板Ｒ５におけるＺ軸に沿っている両端部には、切欠き１１、１２が設けられている。切欠き１１、１２は、本体３０２に対してカバー３０１を固定するのに用いられる。切欠き１１、１２は、カバー３０１の端部３１Ａ、３１Ｂが嵌められるように、仕切り板Ｒ５における上側（＋Ｚ）寄りの位置に設けられる。尚、仕切り板Ｒ１乃至Ｒ４、Ｒ６の構成は、仕切り板Ｒ５の構成と同様である。
【００１９】
導電板Ｅ１乃至Ｅ３は、一方のケーブル９１、９３、９５夫々と他方のケーブル９２、９４、９６とを電気的に接続するための、ｘ軸に沿って延びている金属製の板部材である。導電板Ｅ１は仕切り板Ｒ１、Ｒ２の間に設けられ、導電板Ｅ２は仕切り板Ｒ２、Ｒ３の間に設けられ、導電板Ｅ３は仕切り板Ｒ３、Ｒ４の間に設けられる。尚、仕切り板Ｒ７と基台３０との間には、導電板Ｅ１乃至Ｅ３が挿通されるスリット（不図示）が設けられている。導電板Ｅ１乃至Ｅ３は、スリットに挿通されて、仕切り板Ｒ７の一方側（−ｘ）から他方側（＋ｘ）に連続して設けられることになる。導電板Ｅ１乃至Ｅ３における仕切り板Ｒ７の両側には、ねじ孔が設けられている。尚、基台３０における導電板Ｅ１乃至Ｅ３のねじ孔と対向する位置にも、ねじ孔が設けられている。
【００２０】
ねじＴ６は、他方のケーブル９６の端子と導電板Ｅ３とを電気的に接続した状態で固定するための金属製等の導電性のねじである。ねじＴ６は、座金Ｗ６のねじ孔、他方のケーブル９６の端子のねじ孔、導電板Ｅ３のねじ孔、基台３０のねじ孔に螺合される。尚、ねじＴ１乃至Ｔ５の構成は、ねじＴ６の構成と同様である。
【００２１】
＝＝＝カバー＝＝＝
以下、図２及び図３を参照して、本実施形態におけるカバーについて説明する。図２は、本実施形態に係る端子台カバーを示す斜視図である。図３は、本実施形態における端子台カバーが装着された端子台を示す断面図である。尚、図３は、仕切り板Ｒ３、Ｒ４の間を通り且つｘｚ平面に平行な断面から−ｙ方向に向かって見た端子台３００を示している。更に、図３は、カバー３０１が本体３０２に取り付けられた状態の端子台３００を示している。
【００２２】
カバー３０１は、略矩形形状を呈しており、絶縁性の例えば樹脂等によって形成されている。カバー３０１のｙ軸に沿っている端部３１Ａ、３１Ｂは夫々、切欠き１１、１２に嵌められるように、端部３１Ｂ側（−ｘ）、端部３１Ａ側（＋ｘ）に向かって曲げられている。カバー３０１は、露出孔３１、遮蔽壁３４、固定ガイド３２、３３（位置決め片）を有する。
【００２３】
露出孔３１は、ねじＴ１乃至Ｔ６のうちの、測定対象ケーブルと電気的に接続されているねじ（「測定対象ねじ」とも称する）を露出させるための孔である。ケーブルの電圧測定を行う際、露出孔３１を介して電圧測定装置の測定具を、測定対象ねじに対して電気的に接続することが可能となる。
【００２４】
露出孔３１の径は、例えば、測定対象ねじが取り付けられている座金（「測定対象座金」とも称する）の外径よりも小さく設定されている。このため、ケーブルの電圧測定を行う際に、測定対象ねじ（例えば、ねじＴ６）と測定対象座金（例えば、座金Ｗ６）のみが露出孔３１から露出する。つまり、測定対象ねじ以外のねじ及び測定対象座金以外の座金を、測定対象ねじ及び測定対象座金と共に露出孔３１から露出させるのを防止して、測定対象ねじ及び測定対象座金と、測定対象ねじ以外のねじ及び測定対象座金以外の座金とが、例えば測定具を介して、電気的に接続されるのを防止することができる。
【００２５】
遮蔽壁３４は、ｚ方向におけるカバー３０１と本体３０２との間に、＋ｘ側から−ｘ側に向かって測定具が挿入されるのを防止するための部材である。遮蔽壁３４は、略矩形形状を呈しており、絶縁性の例えば樹脂等によって形成されている。遮蔽壁３４は、ｘ軸方向における露出孔３１よりも端部３１Ａ側（＋ｘ）に設けられる。遮蔽壁３４は、下側（−ｘ）に向かって突出している。遮蔽壁３４は、露出孔３１と隣り合う位置に設けられる。尚、遮蔽壁３４は、露出孔３１と隣合う位置以外にも設けられることとしてもよい。つまり、例えば、遮蔽壁３４は、ｙ軸に沿って、複数設けられることとしてもよい。
【００２６】
固定ガイド３２、３３は、本体３０２に対するカバー３０１の位置決めを行うための一対の部材である。固定ガイド３２、３３は、絶縁性の例えば樹脂等によって形成されている。固定ガイド３２、３３は、下側に向かって突出するように、ｙ軸方向において互いに対向する位置に設けられる。固定ガイド３２、３３は、例えば、露出孔３１の周囲に設けられる。ｙ軸方向における固定ガイド３２、３３の間の距離は、仕切り板Ｒ１乃至Ｒ６における隣り合う仕切り板の間のｙ軸方向における距離よりも短く設定されている。
【００２７】
例えば、測定対象ねじがねじＴ６であるとき、固定ガイド３２、３３の双方が仕切り板Ｒ３、Ｒ４の間に設けられるように、カバー３０１が本体３０２に対して取り付けられた場合、ｙ軸方向におけるカバー３０１の移動が固定ガイド３２、３３によって規制されることになる。更に、固定ガイド３２、３３は、ｘ軸方向において仕切り板Ｒ７と対向することになるので、カバー３０１が＋ｘ側から−ｘ側に移動するを規制する。つまり、固定ガイド３２、３３は、本体３０２に対するカバー３０１の位置決めを行う機能を発揮する。
【００２８】
＝＝＝ケーブルの電圧測定＝＝＝
以下、図１を参照して、本実施形態におけるケーブルの電圧測定について説明する。
【００２９】
例えば、他方のケーブル９６の電圧を測定する場合について説明する。この場合、測定対象ねじがねじＴ６となり、測定対象座金が座金Ｗ６となる。
【００３０】
露出孔３１からねじＴ６が露出するように、本体３０２に対してカバー３０１が取り付けられる。このとき、露出孔３１からは、ねじＴ６及び座金Ｗ６のみが露出することになる。
【００３１】
測定具が、露出孔３１を介してねじＴ６に対して接続される。尚、この際、ねじＴ６と隣り合っているねじＴ４、及び、座金Ｗ６と隣り合っている座金Ｗ４は、カバー３０１に覆われた状態となる。従って、例えば、ねじＴ６及び座金Ｗ６と、ねじＴ４及び座金Ｔ４とが測定具を介して電気的に接続されることが防止されることなる。
【００３２】
[第２実施形態]
＝＝＝カバー＝＝＝
以下、図４乃至図７を参照して、本実施形態における端子台カバーについて説明する。図４は、本実施形態に係る端子台カバーを示す斜視図である。図５は、本実施形態に係る端子台カバーが端子台に装着された状態を示す断面図である。尚、図５は、仕切り板Ｒ３、Ｒ４の間を通り且つｘｚ平面に平行な断面から−ｙ方向に向かって見た端子台３００を示している。更に、図５は、カバー４０１が本体３０２に取り付けられた状態の端子台３００を示している。図６は、本実施形態に係る端子台カバーが端子台に装着される前の状態を示す正面図である。図７は、本実施形態に係る端子台カバーが端子台に装着された状態を示す正面図である。尚、図６及び図７は、＋Ｘ方向から−Ｘ方向に向かって見た様子を示している。
【００３３】
カバー４０１は、略矩形形状を呈しており、露出孔４１、遮蔽壁４４Ａ、固定ガイド４２Ａ、４３Ａ、４２Ｂ、４３Ｂを有しており、絶縁性の例えば樹脂等によって形成されている。カバー４０１のｙ軸に沿っている端部４１Ａ、４１Ｂは夫々、切欠き１１、１２に嵌められるように、端部４１Ｂ側（−ｘ）、端部４１Ａ側（＋ｘ）に向かって曲げられている。
【００３４】
露出孔４１、遮蔽壁４４Ａの構成は夫々、露出孔３１（第１実施形態）、遮蔽壁３４と同様な構成である。
【００３５】
固定ガイド４２Ａ、４３Ａ、４２Ｂ、４３Ｂは、本体３０２に対するカバー４０１の固定を行うための一対の部材である。固定ガイド４２Ａ、４３Ａ、４２Ｂ、４３Ｂは、絶縁性の例えば樹脂等によって形成されている。固定ガイド４２Ａ、４３Ａ、４２Ｂ、４３Ｂは夫々、同様な形状を呈して、下側に向かって突出している。固定ガイド４２Ａ、４３Ａは、ｙ軸方向において露出孔４１の両側に設けられている。固定ガイド４２Ｂ、４３Ｂは、ｘ軸方向において仕切り板Ｒ７の固定ガイド４２Ａ、４３Ａ側（図５の＋ｘ）とは反対側（−ｘ）側に設けられている。本体３０２に対してカバー４０１が取り付けられたとき、固定ガイド４２Ａ、４３Ａと固定ガイド４２Ｂ、４３Ｂとが、仕切り板Ｒ７の両側に設けられることになるので、本体３０２に対してｘ軸方向におけるカバー４０１の移動が規制されて、位置決めが行われる。
【００３６】
ｙ軸方向における固定ガイド４２Ａ、４３Ａの間の距離は、仕切り板Ｒ１乃至Ｒ６において隣り合う仕切り板の間のｙ軸方向における距離よりも長く設定されている。固定ガイド４２Ａ、４３Ａにおける下側の端部４０２、４０３は夫々、固定ガイド４３Ａ、４２Ａに向かって突出している。このため、本体３０２に対してカバー４０１が取り付けられた場合、固定ガイド４２Ａ、４３Ａは、ｙ軸方向における固定ガイド４２Ａ、４３Ａの間の距離が広がるように、仕切り板Ｒ３、Ｒ４によって弾性変形される。固定ガイド４２Ａ、４３Ａのこの変形に基づく弾性力が、固定ガイド４３Ａ、４２Ａ夫々から仕切り板Ｒ４、Ｒ３に対して付与される。つまり、仕切り板Ｒ４、Ｒ３が固定ガイド４２Ａ、４３によって挟持されることにより、本体３０２に対してカバー４０１が固定されることになる。
【００３７】
前述したように、カバー３０１には、露出孔３１が形成されている。露出孔３１は、電圧測定具が接続されるように例えば測定対象ねじを露出させる。固定ガイド３２、３３は、露出孔３１が例えば測定対象ねじと対向するように、カバー３０１の位置決めをするための片である。従って、端子台３００の測定対象ねじ以外がカバー３０１によって覆われるので、測定対象ねじ以外の例えばねじ、座金等に対する電圧測定具の誤接続を防止することができる。
【００３８】
また、固定ガイド３２、３３は、カバー３０１の位置決めを行うとき、端子台３００に設けられている複数の第１着脱部（Ｅ１〜Ｅ３，Ｗ１，Ｗ３，Ｗ５，Ｔ１，Ｔ３，Ｔ５）の夫々を仕切る仕切板Ｒ１〜Ｒ４と隣り合うことができるように、カバー３０１に設けられている。更に、固定ガイド３２、３３は、カバー３０１の位置決めを行うとき、複数の第１着脱部（Ｅ１〜Ｅ３，Ｗ１，Ｗ３，Ｗ５，Ｔ１，Ｔ３，Ｔ５）の配列方向に沿う方向へのカバー３０１の移動が規制されるように、カバー３０１に設けられている。更に、露出孔３１の径は、複数の第１着脱部（Ｅ１〜Ｅ３，Ｗ１，Ｗ３，Ｗ５，Ｔ１，Ｔ３，Ｔ５）の夫々の外径より小さい径に設定されている。従って、電圧測定具を用いて所定の第１着脱部の電圧を測定するとき、電圧測定対象である所定の第１着脱部と他の第１着脱部とが電圧測定具を介して短絡する事故を防止することが可能になる。
【００３９】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００４０】
３０  基台
３１，４１  露出孔
３２，３３，４２Ａ，４３Ａ，４２Ｂ，４３Ｂ  固定ガイド
３４，４４Ａ  遮蔽壁
９１，９３，９５  第１ケーブル
９２，９４，９６  第２ケーブル
３００  端子台
３０１，４０１  カバー
Ｅ１〜Ｅ３  導電板
Ｗ１〜Ｗ６  座金
Ｔ１〜Ｔ６  ねじ
【図１】
2016134338.tif 000003
【図２】
2016134338.tif 000004
【図３】
2016134338.tif 000005
【図４】
2016134338.tif 000006
【図５】
2016134338.tif 000007
【図６】
2016134338.tif 000008
【図７】
2016134338.tif 000009